(57)【要約】【課題】  変流器内蔵据置端子に接続された状態であっても端子カバーを取り外すことができ、端子カバーをカバーから取り外す際に、その都度、電力量計の端子部と棒端子との接続を解く手間の要らない電力量計を提供する。【解決手段】  電力量計１１は、端子カバー１４の塞辺１４ａに形成された張り出し部１４ｂの背面側に突出部１４ｃが備えられ、張り出し部１４ｂに嵌合する切り欠き部１３ｂがカバー１３の開放辺１３ａに形成される。このため、端子カバー１４のカバー１３への装着時に、カバー１３の表示面の鉛直方向において、突出部１４ｃが表示面と重なる長さＬ４は短くなる。したがって、端子カバー１４をカバー１３から取り外す際、表示面の水平方向において端子カバー１４をカバー１３から離す向きＡに移動させる距離Ｌ２が短くても、表示面の鉛直方向Ｂにおいて突出部１４ｃが表示面と重ならなくなる。【選択図】  図６
2019045358.tif 000002
【特許請求の範囲】
【請求項１】
使用電力量を表示させる表示窓を表示面に有する、端子部を開放して内部部品を覆うカバーと、前記表示面の開放辺に塞辺が合わされて前面が前記表示面に連なり、前記カバーによって覆われない前記端子部を覆う端子カバーと、前記表示面の開放辺に前記前面の塞辺が合わされて前記カバーに前記端子カバーが装着されたことを検出する、前記カバーに覆われる検出スイッチとを備える電力量計において、
前記カバーは、前記検出スイッチを覆う位置に向かって切り欠かれた切り欠き部が前記開放辺に形成され、
前記検出スイッチは操作部が前記切り欠き部に臨んで設けられ、
前記端子カバーは、前記カバーへの装着時に前記切り欠き部に嵌合して前記前面が前記表示面に連なる、前記塞辺に形成された張り出し部と、前記操作部の設置高さに及ぶ厚さを有して前記張り出し部の背面側に設けられ、前記カバーへの装着時に前記操作部に及ぶ突出長さを有する突出部とを備える
ことを特徴とする電力量計。
【請求項２】
前記端子カバーは、前記突出部の突出長さが前記張り出し部の張り出し長さよりも長く形成されることを特徴とする請求項１に記載の電力量計。
【請求項３】
前記端子カバーは、前記張り出し部および前記突出部と一体に成形されることを特徴とする請求項１または請求項２に記載の電力量計。
【発明の詳細な説明】
【技術分野】
【０００１】
本発明は、カバーに端子カバーが装着されたことを検出する検出スイッチを備える電力量計に関するものである。
【背景技術】
【０００２】
従来、この種の電力量計としては、例えば、特許文献１に開示されたものがある。この電力量計では、ケース内にスイッチ部が設けられ、端子カバーには、端子カバーがケースに取り付けられたときにスイッチ部を押す、バネ性を有するスイッチプッシュ部が形成されている。スイッチプッシュ部は、端子カバーのコの字状段部の内側に段部の長手方向に沿って形成され、先端には突起部が形成されている。段部は、端子カバーをケースに取り付けたときにケースのカバー接触部に当接する。このとき、スイッチプッシュ部の先端の突起部がスイッチ部に当接し、スイッチ部をオンさせる。
【０００３】
このような特許文献１に開示された電力量計では、スイッチ部がケースの内方の奥まった位置に設けられていると、スイッチプッシュ部の先端の突起部がスイッチ部に届かず、スイッチ部を操作することができない。このため、図１（ａ）に示す電力量計１の側面図のように、端子カバー２の縁部からスイッチプッシュ部３を突出させて形成することで、スイッチプッシュ部３の先端をケース４内のスイッチ部５に当接させて、スイッチ部５を操作することができる。
【先行技術文献】
【特許文献】
【０００４】
【特許文献１】特開２０１５−２１５２４０号公報
【特許文献２】特開２０１５−１８４２２７号公報
【発明の概要】
【発明が解決しようとする課題】
【０００５】
しかし、上記のように構成した電力量計１では、図１（ｂ）に示す、特許文献２に開示されるような変流器内蔵据置端子６を棒端子７で電力量計１の端子部に接続した状態では、端子カバー２をケース４から取り外すことができない。つまり、据置端子６およびケース４間の距離Ｌ１が限られ、端子カバー２を移動させることができる距離Ｌ２がスイッチプッシュ部３の突出長さＬ３よりも短い。したがって、図１（ｃ）に示すように端子カバー２を据置端子６の側に矢示する向きＡへ移動させて、端子カバー２を鉛直方向Ｂに持ち上げると、スイッチプッシュ部３がケース４の前面壁に当たってしまい、端子カバー２をケース４から取り外すことができない。このため、所定比に変流した負荷電流を据置端子６によって電力量計１に供給する場合、端子カバー２をケース４から取り外すには、その都度、電力量計１の端子部と棒端子７との接続を解く必要があり、手間を要した。
【課題を解決するための手段】
【０００６】
本発明はこのような課題を解決するためになされたもので、
使用電力量を表示させる表示窓を表示面に有する、端子部を開放して内部部品を覆うカバーと、表示面の開放辺に塞辺が合わされて前面が表示面に連なり、カバーによって覆われない端子部を覆う端子カバーと、表示面の開放辺に前面の塞辺が合わされてカバーに端子カバーが装着されたことを検出する、カバーに覆われる検出スイッチとを備える電力量計において、
カバーが、検出スイッチを覆う位置に向かって切り欠かれた切り欠き部が開放辺に形成され、
検出スイッチの操作部が切り欠き部に臨んで設けられ、
端子カバーが、カバーへの装着時に切り欠き部に嵌合して前面が表示面に連なる、塞辺に形成された張り出し部と、操作部の設置高さに及ぶ厚さを有して張り出し部の背面側に設けられ、カバーへの装着時に操作部に及ぶ突出長さを有する突出部とを備える
ことを特徴とする。
【０００７】
本構成によれば、端子カバーの塞辺に形成された張り出し部の背面側に突出部が備えられ、張り出し部に嵌合する切り欠き部が塞辺が合わさるカバーの開放辺に形成されるため、端子カバーのカバーへの装着時に表示面の鉛直方向において突出部が表示面と重なる長さは短くなる。したがって、端子カバーをカバーから取り外す際、表示面の水平方向において端子カバーをカバーから離す向きに移動させる距離が短くても、表示面の鉛直方向において突出部が表示面と重ならなくなる。このため、電力量計が変流器内蔵据置端子に接続された状態で、据置端子とカバーとの間の距離が限られた場合であっても、端子カバーを表示面の水平方向においてカバーから離す向きに短い距離だけ移動させることで、表示面の鉛直方向にカバーから端子カバーを取り去ることが可能となる。この結果、電力量計が変流器内蔵据置端子に接続された状態であっても端子カバーを取り外すことができ、端子カバーをカバーから取り外す際に、その都度、電力量計の端子部と棒端子との接続を解く手間は不要となる。
【０００８】
また、本発明は、端子カバーが、突出部の突出長さが張り出し部の張り出し長さよりも長く形成されることを特徴とする。
【０００９】
本構成によれば、突出部の突出長さを操作部に及ぶ長さに保ちながら、表示面に張り出し部が張り出す長さを抑制することができる。このため、カバーの表示面における、使用電力量を表示させる表示窓等の配置に張り出し部が及ぼす影響を少なくすることができる。
【００１０】
また、本発明は、端子カバーが、張り出し部および突出部と一体に成形されることを特徴とする。
【００１１】
本構成によれば、張り出し部および突出部を端子カバーの別部品として設ける場合に比較して、電力量計の製造コストを低減することができる。
【発明の効果】
【００１２】
本発明によれば、変流器内蔵据置端子に接続された状態であっても端子カバーを取り外すことができ、端子カバーをカバーから取り外す際に、その都度、電力量計の端子部と棒端子との接続を解く手間の要らない電力量計を提供することができる。
【図面の簡単な説明】
【００１３】
【図１】（ａ）は、従来の電力量計の概略の側面図、（ｂ）は、変流器内蔵据置端子に接続された従来の電力量計の概略の側面図、（ｃ）は、変流器内蔵据置端子に接続された従来の電力量計の端子カバーが水平方向にスライドした状態の概略の側面図である。
【図２】（ａ）、（ｂ）、（ｃ）は、本発明の一実施の形態による電力量計の平面図、側面図、正面図である。
【図３】（ａ）、（ｂ）、（ｃ）は、端子カバーを取り外した状態における一実施の形態による電力量計の平面図、側面図、正面図である。
【図４】（ａ）、（ｂ）、（ｃ）は、一実施の形態による電力量計を構成する端子カバーの平面図、側面図、正面図である。
【図５】（ａ）は、一実施の形態による電力量計が内蔵する検出スイッチのオン状態を示す部分断面図、（ｂ）はオフ状態を示す部分断面図である。
【図６】（ａ）は、一実施の形態による電力量計の概略の側面図、（ｂ）は、変流器内蔵据置端子に接続された一実施の形態による電力量計の端子カバーが水平方向にスライドした状態の概略の側面図、（ｃ）は、端子カバーが鉛直方向に取り外された状態の概略の側面図である。
【発明を実施するための形態】
【００１４】
次に、本発明による電力量計を実施するための形態について説明する。
【００１５】
図２（ａ）は、本発明の一実施の形態による電力量計１１の平面図、同図（ｂ）は側面図、同図（ｃ）は正面図である。
【００１６】
電力量計１１は、樹脂製のベース１２に樹脂製のカバー１３が被されて構成されている。ベース１２の端子部は樹脂製の端子カバー１４によって覆われている。カバー１３は封印ねじ１６ａにより、端子カバー１４は封印ねじ１６ｂ、１６ｂにより、ベース１２に封印される。カバー１３の前面の表示面には透明な表示窓１５が形成されており、表示窓１５には使用電力量が表示される。端子カバー１４は、その前面の塞辺１４ａがカバー１３の表示面の開放辺１３ａに合わされて、前面が表示面に連なってカバー１３に装着されて、ベース１２に取り付けられている。
【００１７】
図３（ａ）は、端子カバー１４を取り外した状態における電力量計１１の平面図、同図（ｂ）は側面図、同図（ｃ）は正面図である。なお、同図において図２と同一部分には同一符号を付してその説明は省略する。また、ベース１２に取り付けられる内部部品は同図では省略している。ベース１２には複数の端子金具１７が並べられて端子部が構成されている。各端子金具１７には、配電線や、変流器内蔵据置端子の棒端子が接続される。電力量計１１は、これら配電線や棒端子から供給される電圧と電流とに基づいて、負荷の使用電力量を計量する。この計量演算は回路基板１８に実装された電子回路において行われ、計量結果が液晶表示装置等に表示されて、表示窓１５を介して視認される。
【００１８】
カバー１３は同図に示すように端子部を開放して内部部品を覆い、端子カバー１４は図２に示すようにカバー１３によって覆われない端子部を覆う。電力量計１１には、図３（ａ）に示すように検出スイッチ１９がカバー１３に覆われて内蔵されている。検出スイッチ１９は、回路基板１８に実装されており、カバー１３に端子カバー１４が装着されたことを検出して、検出結果を回路基板１８に形成された電子回路へ出力する。
【００１９】
カバー１３の表示面の開放辺１３ａには、検出スイッチ１９を覆う位置に向かって台形形状に切り欠かれた切り欠き部１３ｂが形成されている。検出スイッチ１９の後述する操作部１９ａ（図５参照）は、この切り欠き部１３ｂに臨んで設けられている。
【００２０】
図４（ａ）は端子カバー１４の平面図、同図（ｂ）は側面図、同図（ｃ）は正面図である。なお、同図において図２と同一部分には同一符号を付してその説明は省略する。
【００２１】
端子カバー１４には張り出し部１４ｂと突出部１４ｃとが一体に成形されている。張り出し部１４ｂは、塞辺１４ａに台形形状に張り出して形成されており、端子カバー１４のカバー１３への装着時に切り欠き部１３ｂに嵌合して、端子カバー１４の前面がカバー１３の表示面に連なる。突出部１４ｃは、検出スイッチ１９の操作部１９ａの設置高さに及ぶ厚さＴを有して、張り出し部１４ｂの背面側に設けられ、端子カバー１４のカバー１３への装着時に操作部１９ａに及ぶ突出長さＬａを有する。本実施形態では、突出部１４ｃの突出長さＬａは、張り出し部１４ｂの張り出し長さＬｂよりも長く形成されている。
【００２２】
図５（ａ）は、端子カバー１４の塞辺１４ａがカバー１３の開放辺１３ａに合わされて端子カバー１４がカバー１３に装着され、検出スイッチ１９の操作部１９ａが突出部１４ｃに押されて検出スイッチ１９がオンした状態を示す部分断面図である。同図（ｂ）は、端子カバー１４がカバー１３に装着される前における、検出スイッチ１９の操作部１９ａがオフの状態を示す部分断面図である。なお、図５において図２〜図４と同一部分には同一符号を付してその説明は省略する。
【００２３】
このような本実施形態による電力量計１１では、端子カバー１４の塞辺１４ａに形成された張り出し部１４ｂの背面側に突出部１４ｃが備えられ、張り出し部１４ｂに嵌合する切り欠き部１３ｂが、塞辺１４ａが合わさるカバー１３の開放辺１３ａに形成されている。このため、図６（ａ）の電力量計１１の側面図に示すように、端子カバー１４のカバー１３への装着時に、カバー１３の表示面の鉛直方向において、突出部１４ｃが表示面と重なる長さＬ４は、図１に示すスイッチプッシュ部３が表示面と重なる長さＬ３よりも短くなる。なお、図６において図２〜図４と同一部分には同一符号を付してその説明は省略する。したがって、端子カバー１４をカバー１３から取り外す際、図６（ｂ）に示す変流器内蔵据置端子６に接続された電力量計１１の側面図のように、表示面の水平方向において端子カバー１４をカバー１３から離す矢示する向きＡに移動させる距離Ｌ２が短くても、距離Ｌ２が長さＬ４よりも大きければ、表示面の鉛直方向において突出部１４ｃが表示面と重ならなくなる。
【００２４】
このため、電力量計１１が変流器内蔵据置端子６に接続された状態で、据置端子６とカバー１３との間の距離Ｌ１が限られた場合であっても、端子カバー１４を表示面の水平方向においてカバー１３から離す向きＡに短い距離Ｌ２だけ移動させることで、図６（ｃ）の電力量計１１の側面図に示すように、表示面の鉛直方向Ｂにカバー１３から端子カバー１４を取り去ることが可能となる。この結果、電力量計１１が変流器内蔵据置端子６に接続された状態であっても端子カバー１４を取り外すことができ、端子カバー１４をカバー１３から取り外す際に、その都度、電力量計１１の端子部と棒端子７との接続を解く手間は不要となる。
【００２５】
また、本実施形態による電力量計１１によれば、突出部１４ｃの突出長さＬａを操作部１９ａに及ぶ長さに保ちながら、カバー１３の表示面に張り出し部１４ｂが張り出す長さＬｂを抑制することができる。このため、カバー１３の表示面における、使用電力量を表示させる表示窓１５等の配置に張り出し部１４ｂが及ぼす影響を少なくすることができる。
【００２６】
また、本実施形態による電力量計１１は、端子カバー１４が、張り出し部１４ｂおよび突出部１４ｃと一体に成形されるため、張り出し部１４ｂおよび突出部１４ｃを端子カバー１４の別部品として設ける場合に比較して、電力量計１１の製造コストを低減することができる。
【符号の説明】
【００２７】
１１…電力量計
１２…ベース
１３…カバー
１３ａ…開放辺
１３ｂ…切り欠き部
１４…端子カバー
１４ａ…塞辺
１４ｂ…張り出し部
１４ｃ…突出部
１５…表示窓
１６ａ、１６ｂ…封印ねじ
１７…端子金具
１８…回路基板
１９…検出スイッチ
１９ａ…操作部
【図１】
2019045358.tif 000003
【図２】
2019045358.tif 000004
【図３】
2019045358.tif 000005
【図４】
2019045358.tif 000006
【図５】
2019045358.tif 000007
【図６】
2019045358.tif 000008